(57)【要約】【課題】  空間ダイバーシチ効果、偏波ダイバーシチ効果およびパターンダイバーシチ効果を得ることのできる無線通信アンテナを内蔵した携帯型情報機器を提供する。【解決手段】  無線ＬＡＮ用アンテナ２１０Ａは、表示部２００の上部左に設置され、無線ＬＡＮ用アンテナ２１０Ｂは、表示部２００の右側部下に設置される。このような配置により、無線ＬＡＮ用アンテナ２１０Ａと無線ＬＡＮ用アンテナ２１０Ｂは、共に上部に並べた配置と比較して、互いの設置位置間の距離が大きくなる。また、無線ＬＡＮ用アンテナ２１０Ｂは、無線ＬＡＮ用アンテナ２１０Ａに対して９０°の傾きを持って設置されることになる。【選択図】    図１Ａ
2007074446.tif 000002
【特許請求の範囲】
【請求項１】
携帯型情報機器の本体と、
前記携帯型情報機器の本体に取り付けられた表示部と、
前記表示部の面上部に設けられた第１の無線通信アンテナと、
前記表示部の面側部に設けられた第２の無線通信アンテナと、
を有することを特徴とする携帯型情報機器。
【請求項２】
前記第１の無線通信アンテナと前記第２の無線通信アンテナは同種のアンテナであり、
前記第１の無線通信アンテナと前記第２の無線通信アンテナは、互いになるべく離れた位置に設けられたことを特徴とする請求項１に記載の携帯型情報機器。
【請求項３】
前記第１の無線通信アンテナと前記第２の無線通信アンテナは同種のアンテナであり、
前記第１の無線通信アンテナと前記第２の無線通信アンテナは互いに略９０°異なる角度で設けられたことを特徴とする請求項１に記載の携帯型情報機器。
【請求項４】
前記表示部は液晶ディスプレイであり、
前記表示部が備える液晶ドライバ基板が前記表示部の上部と下部のいずれかに設けられ、
前記第２の無線通信アンテナは、前記表示部の上部と下部のうち、前記液晶ドライバ基板が設けられていない方の側部に設けられたことを特徴とする請求項１に記載の携帯型情報機器。
【請求項５】
前記第１の無線通信アンテナおよび前記第２の無線通信アンテナは、一方が前記表示部の表面側に設けられ、他方は、前記表示部の背面側に設けられたことを特徴とする請求項１に記載の携帯型情報機器。
【請求項６】
前記第１の無線通信アンテナに接続された給電ケーブルは、前記第２の無線通信アンテナが設けられていない方の前記表示部の面側部を通って前記携帯型情報機器の本体側に繋がるように配線され、
前記第２の無線通信アンテナに接続された前記給電ケーブルは、前記第２の無線通信アンテナが設けられている方の前記表示部の面側部を通って前記携帯型情報機器の本体側に繋がるように配線されたことを特徴とする請求項１に記載の携帯型情報機器。
【請求項７】
携帯型情報機器の本体と、
前記携帯型情報機器の本体に取り付けられた表示部と、
前記表示部の面上部に設けられた第１の無線通信アンテナと、
前記携帯型情報機器の本体に設けられた第２の無線通信アンテナと、
を有することを特徴とする携帯型情報機器。
【請求項８】
前記第２の無線通信アンテナは、前記携帯型情報機器の本体の手前部に設けられたことを特徴とする請求項７に記載の携帯型情報機器。
【請求項９】
前記第２の無線通信アンテナは、前記携帯型情報機器の本体の奥部に設けられたことを特徴とする請求項７に記載の携帯型情報機器。
【請求項１０】
前記第２の無線通信アンテナはＢｌｕｅｔｏｏｔｈ用アンテナであることを特徴とする請求項７に記載の携帯型情報機器。
【請求項１１】
前記第１の無線通信アンテナおよび前記第２の無線通信アンテナは、前記表示部の側面に設けられたことを特徴とする請求項１または７に記載の携帯型情報機器。
【請求項１２】
前記表示部を前記携帯型情報機器の本体に閉じたときに、前記携帯型情報機器の本体および前記表示部の筐体の、前記第１の無線通信アンテナおよび前記第２の無線通信アンテナに接する部分は、非金属材料からなることを特徴とする請求項１または７に記載の携帯型情報機器。
【請求項１３】
前記携帯型情報機器の本体および前記表示部の筐体の、前記第１の無線通信アンテナと前記第２の無線通信アンテナが設置される部分が誘電体材料からなり、
前記第１の無線通信アンテナと前記第２の無線通信アンテナは、アンテナ導体部、給電線、およびＧＮＤパターンを前記筐体上に直接設けた構成を有することを特徴とする請求項１または７に記載の携帯型情報機器。
【請求項１４】
前記携帯型情報機器の本体および前記表示部の筐体の、前記第１の無線通信アンテナと前記第２の無線通信アンテナが設置される部分が金属材料からなり、
前記第１の無線通信アンテナと前記第２の無線通信アンテナは、アンテナ導体部、給電線、およびＧＮＤパターンを前記筐体上に誘電体板を介して設けた構成を有することを特徴とする請求項１または７に記載の携帯型情報機器。
【発明の詳細な説明】
【技術分野】
【０００１】
本発明は、ダイバーシチ効果により通信性能を向上させた無線通信アンテナを内蔵した携帯型情報機器に関する。
【背景技術】
【０００２】
近年、通信技術の発達に伴い、従来の給電ケーブルによる有線通信に替わり、電波による無線通信が急速に普及してきている。この無線通信の品質を上げるために、複数のアンテナを用いて電波受信性能を上げる技術が様々な通信機器において用いられており、そのひとつにダイバーシチ技術がある。
【０００３】
このダイバーシチ技術のうち、主なものとして、電波の伝搬距離を調整して異なる受信条件を設けるために、空間的に異なる位置に複数のアンテナを設置する空間ダイバーシチと、電波の偏波面のずれに起因するフェーディングを軽減するために、複数の偏波面の異なるアンテナを用いて、感度の良いものを適宜選択利用する偏波ダイバーシチと、複数の放射パターンの異なるアンテナを用いて、感度の良いものを適宜選択利用するパターンダイバーシチがある。
【０００４】
一方、無線通信技術は、従来、ＰＣ（パーソナルコンピュータ）ネットワークにおいても広く用いられており、無線通信アンテナを内蔵したノート型パーソナルコンピュータ（以下ノートＰＣと記す）も開発されている。これらの無線通信アンテナを内蔵したノートＰＣのうち、複数のアンテナを備えてダイバーシチ技術を用いるものが報告されている（例えば、特許文献１）。
【特許文献１】特開２００２−７３２１０号公報
【発明の開示】
【発明が解決しようとする課題】
【０００５】
しかし、特許文献１に記載の技術によると、複数のアンテナの実装位置がノートＰＣの液晶パネル上部に限定されており、全てのアンテナの設置角度が同じで、アンテナ間の距離も短いため、偏波ダイバーシチ効果およびパターンダイバーシチ効果が得られず、空間ダイバーシチ効果も小さいという問題点があった。
【０００６】
従って、本発明の目的は、空間ダイバーシチ効果のみならず、偏波ダイバーシチ効果およびパターンダイバーシチ効果を得ることのできる無線通信アンテナを内蔵した携帯型情報機器を提供することにある。
【課題を解決するための手段】
【０００７】
本発明の第１の態様は、上記目的を達成するため、携帯型情報機器の本体と、前記携帯型情報機器の本体に取り付けられた表示部と、前記表示部の面上部に設けられた第１の無線通信アンテナと、前記表示部の面側部に設けられた第２の無線通信アンテナと、を有することを特徴とする携帯型情報機器を提供する。
【０００８】
前記第１の無線通信アンテナおよび前記第２の無線通信アンテナは、例えば、８０２．１１ａ、８０２．１１ｂ、８０２．１１ｇ、８０２．１１ｎ規格の無線ＬＡＮ、およびＢｌｕｅｔｏｏｔｈ（登録商標）用アンテナ等を用いることができる。なお、前記第１の無線通信アンテナおよび前記第２の無線通信アンテナが無線ＬＡＮ用アンテナである場合は、両者は、主にコストの面で同種のアンテナであることが好ましい。
【０００９】
前記表示部は、表示パネルとして液晶パネルを有する液晶ディスプレイ等を用いることができる。
【００１０】
上記本発明の第１の態様によれば、前記第１の無線通信アンテナと前記第２の無線通信アンテナの設置位置間の距離を大きくすることにより、空間ダイバーシチ効果を得て、電波受信効率を向上させることが可能となる。
【００１１】
また、上記本発明の第１の態様によれば、前記第１の無線通信アンテナおよび前記第２の無線通信アンテナが互いに９０°異なる角度で設置され、異なる偏波を受信することにより、偏波ダイバーシチ効果を得て、電波受信効率を向上させることが可能となる。
【００１２】
また、上記本発明の第１の態様によれば、前記第１の無線通信アンテナおよび前記第２の無線通信アンテナが互いに９０°異なる角度で設置され、異なる放射パターンを形成することにより、パターンダイバーシチ効果を得て、電波受信効率を向上させることが可能となる。
【００１３】
上記本発明の第１の態様において、前記表示部の厚さが薄く、前記第１および第２の無線通信アンテナに接続された給電ケーブルを前記表示パネルの背面に配置できない場合は、前記第１の無線通信アンテナに接続された前記給電ケーブルは、前記第２の無線通信アンテナが設けられていない方の前記表示部の面側部を通って前記携帯型情報機器の本体側に繋がるように配線され、前記第２の無線通信アンテナに接続された前記給電ケーブルは、前記第２の無線通信アンテナが設けられている方の前記表示部の面側部を通って前記携帯型情報機器の本体側に繋がるように配線されてもよい。これにより、一方のアンテナに接続された給電ケーブルが他方のアンテナの近くを通ることによる、動作周波数や放射パターン等のアンテナ特性のばらつきを抑えることができる。
【００１４】
前記給電ケーブルは、直径１ｍｍ程度の細線同軸ケーブルを用いることができる。
【００１５】
上記本発明の第１の態様において、前記表示部は液晶ディスプレイであった場合、前記表示部が備える液晶ドライバ基板が前記表示部の上部と下部のいずれかに設けられ、前記第２の無線通信アンテナが前記表示部の上部と下部のうち、前記液晶ドライバ基板が設けられていない方の面側部に設けられてもよい。これにより、前記第２の無線通信アンテナを液晶ドライバ基板と距離を置いて配置して、前記液晶ドライバ基板から放射される不要輻射の影響を抑えることにより、ノイズを軽減して電波受信効率を向上させることができる。
【００１６】
上記本発明の第１の態様において、前記表示部が回転ヒンジにより前記携帯型情報機器の本体に接続されていて、前記表示部が前記回転ヒンジを軸として自由に回転できる場合、前記第１の無線通信アンテナおよび前記第２の無線通信アンテナは、一方が前記表示部の表面側に設けられ、他方は、前記表示部の背面側に設けられてもよい。これにより、前記表示部を前記携帯型情報機器の本体に閉じる際に前記表示部の表側と裏側のどちらを外側に向けたとしても、前記第１の無線通信アンテナおよび前記第２の無線通信アンテナのいずれかは前記携帯型情報機器の本体の金属筐体に近接しなくなるためにアンテナ性能の劣化を抑えることができ、前記表示部を閉じた状態でも品質の高い無線通信を行うことができる。
【００１７】
本発明の第２の態様は、上記目的を達成するため、携帯型情報機器の本体と、前記携帯型情報機器の本体に取り付けられた表示部と、前記表示部の面上部に設けられた第１の無線通信アンテナと、前記携帯型情報機器の本体に設けられた第２の無線通信アンテナと、を有することを特徴とする携帯型情報機器を提供する。
【００１８】
上記本発明の第２の態様によれば、前記第１の無線通信アンテナと前記第２の無線通信アンテナを両者とも前記表示部に設ける場合と比較して、両者間の距離が大きくなるため、空間ダイバーシチ効果をより効率的に得ることが可能となる。
【００１９】
上記本発明の第２の態様において、前記第２の無線通信アンテナを前記携帯型情報機器の本体の手前部に設けることができる。これにより、前記第１の無線通信アンテナと前記第２の無線通信アンテナの間の距離がより大きくなるため、空間ダイバーシチ効果をより効率的に得ることが可能となる。
【００２０】
上記本発明の第２の態様において、前記第２の無線通信アンテナを前記携帯型情報機器の本体の奥部に設けることができる。これにより、前記表示部を前記携帯型情報機器の本体に閉じた際に、前記第１の無線通信アンテナと前記第２の無線通信アンテナの間の距離が大きくなるため、閉じた状態で無線通信を行うときに、空間ダイバーシチ効果をより効率的に得ることが可能となる。
【００２１】
上記本発明の第２の態様において、前記第２の無線通信アンテナをＢｌｕｅｔｏｏｔｈ用アンテナとしてもよい。Ｂｌｕｅｔｏｏｔｈ用アンテナは比較的ノイズに強いため、本体内部のＣＰＵ等からのＥＭＩノイズによる通信品質の低下を小さく抑えることができる。
【００２２】
上記本発明の第１または第２の態様において、前記表示部を前記携帯型情報機器の本体に閉じたときに、前記携帯型情報機器の本体および前記表示部の筐体の、前記第１の無線通信アンテナおよび前記第２の無線通信アンテナに接する部分は、非金属材料からなるものであってもよい。これにより、前記表示部を前記携帯型情報機器の本体に閉じる際に前記表示部の表側と裏側のどちらを外側に向けたとしても、前記第１の無線通信アンテナおよび前記第２の無線通信アンテナのいずれも前記携帯型情報機器の本体の金属筐体に近接しなくなるためにアンテナ性能の劣化を抑えることができ、前記表示部を閉じた状態でも品質の高い無線通信を行うことができる。
【００２３】
上記本発明の第１または第２の態様において、前記携帯型情報機器の本体および前記表示部の筐体の、前記第１の無線通信アンテナと前記第２の無線通信アンテナが設置される部分が誘電体材料からなる場合は、前記第１の無線通信アンテナと前記第２の無線通信アンテナは、アンテナ導体部、給電線、およびＧＮＤパターンをめっき等により前記筐体上に直接設けた構成を有してもよい。これにより、前記第１の無線通信アンテナと前記第２の無線通信アンテナを前記携帯型情報機器の筐体と一体に設けることで、前記第１の無線通信アンテナと前記第２の無線通信アンテナと前記携帯型情報機器の筐体との間の距離を厳密に一定に保ち、動作周波数、放射パターン等のアンテナ特性のばらつきを防いで、高い受信効率を得ることができる。
【００２４】
上記本発明の第１または第２の態様において、前記携帯型情報機器の本体および前記表示部の筐体の、前記第１の無線通信アンテナと前記第２の無線通信アンテナが設置される部分が金属材料からなる場合は、前記第１の無線通信アンテナと前記第２の無線通信アンテナは、アンテナ導体部、給電線、およびＧＮＤパターンを前記筐体上に誘電体板を介して設けた構成を有してもよい。これにより、前記第１の無線通信アンテナと前記第２の無線通信アンテナを前記携帯型情報機器の筐体と一体に設けることで、前記第１の無線通信アンテナと前記第２の無線通信アンテナと前記携帯型情報機器の筐体との間の距離を厳密に一定に保ち、動作周波数、放射パターン等のアンテナ特性のばらつきを防いで、高い受信効率を得ることができる。
【発明の効果】
【００２５】
本発明によれば、空間ダイバーシチ効果、偏波ダイバーシチ効果およびパターンダイバーシチ効果を得ることのできる無線通信アンテナを内蔵した携帯型情報機器を提供することが可能となる。
【００２６】
また、本発明は、複数のアンテナを効率的に利用することが可能なため、複数の送受信アンテナを用いるＭＩＭＯ（Ｍｕｌｔｉｐｌｅ−Ｉｎｐｕｔ  Ｍｕｌｔｉｐｌｅ−Ｏｕｔｐｕｔ）システムに適用した場合にも、効果を高い効果を発揮することができる。
【００２７】
以下に本発明の実施の形態を具体的に説明するが、本発明はそれらによって限定されるものではない。
【発明を実施するための最良の形態】
【００２８】
〔第１の実施の形態〕
第１の実施の形態においては、第１の無線通信アンテナおよび第２の無線通信アンテナとしての無線ＬＡＮ用アンテナを携帯型情報機器としてのノートＰＣに搭載する場合について説明する。
【００２９】
（アンテナの配置構成）
図１Ａは、本発明の第１の実施の形態に係るノートＰＣにおける無線ＬＡＮ用アンテナの配置構成を示す斜視図である。
【００３０】
同図に示す通り、ノートＰＣ１００は、大きく分類して、表示部２００と、本体３００とにより構成される。この第１の実施の形態では、表示部２００は、液晶パネル２３０を有する液晶ディスプレイである。
【００３１】
無線ＬＡＮ用アンテナ２１０Ａは、表示部２００の上部左に設置され、無線ＬＡＮ用アンテナ２１０Ｂは、表示部２００の右側部下に設置される。このような配置により、無線ＬＡＮ用アンテナ２１０Ａと無線ＬＡＮ用アンテナ２１０Ｂは、両者共に上部に並べた配置と比較して、互いの設置位置間の距離が大きくなる。また、無線ＬＡＮ用アンテナ２１０Ｂは、無線ＬＡＮ用アンテナ２１０Ａに対して９０°の傾きを持って設置されることになる。
【００３２】
無線通信モジュールとしての無線ＬＡＮ用モジュール３１０Ａ、３１０Ｂは、本体３００に設けられる。
【００３３】
給電ケーブル２２０Ａは、表示部２００の左側面近傍を通るように無線ＬＡＮ用アンテナ２１０Ａから延び、ヒンジ１１０を通って無線ＬＡＮ用モジュール３１０Ａに接続されている。一方、給電ケーブル２２０Ｂは、無線ＬＡＮ用アンテナ２１０Ｂから下方向に延び、ヒンジ１１０を通って無線ＬＡＮ用モジュール３１０Ｂに接続されている。一方のアンテナに接続された給電ケーブルが他方のアンテナの近くを通らないようにするためである。
【００３４】
なお、表示部２００に十分な厚みがあり、液晶パネル２３０の裏に給電ケーブル２２０Ａ、２２０Ｂを通すことができる場合には、図１Ｂに示すように、無線ＬＡＮ用アンテナ２１０Ａ、２１０Ｂとヒンジ１１０の間を最短距離で結ぶ様に給電ケーブル２２０Ａ、２２０Ｂを配線することができる。
【００３５】
また、無線ＬＡＮ用アンテナ２１０Ａは、表示部２００の上部右に設置され、無線ＬＡＮ用アンテナ２１０Ｂは、表示部２００の左側部下に設置されてもよい。無線ＬＡＮ用アンテナ２１０Ａと無線ＬＡＮ用アンテナ２１０Ｂの間の距離をなるべく離して、互いに９０°の傾きを持って設置することを目的としているためである。
【００３６】
その場合、給電ケーブル２２０Ａは、表示部２００の右側面近傍を通るように無線ＬＡＮ用アンテナ２１０Ａから延び、ヒンジ１１０を通って無線ＬＡＮ用モジュール３１０Ａに接続され、給電ケーブル２２０Ｂは、無線ＬＡＮ用アンテナ２１０Ｂから下方向に延び、ヒンジ１１０を通って無線ＬＡＮ用モジュール３１０Ｂに接続される。
【００３７】
（アンテナの構成）
図２（ａ）、（ｂ）は、本発明の第１の実施の形態に係る無線ＬＡＮ用アンテナの構成を示す斜視図である。なお、無線ＬＡＮ用アンテナ２１０Ａ、２１０Ｂは、同一の構成を有するので、代表として無線ＬＡＮ用アンテナ２１０Ａについて説明する。
【００３８】
図２（ａ）は、図１Ａに示すノートＰＣ１００の筐体が樹脂等の誘電体材料からなる場合に、ノートＰＣ１００の筐体上に直接、金属等の導電性材料からなるアンテナ導体部２１１、ＧＮＤパターン２１２、および給電線２１３を形成した無線ＬＡＮ用アンテナ２１０Ａを示す。これは、ノートＰＣ１００の筐体を無線ＬＡＮ用アンテナ２１０Ａの誘電体部分として利用したものである。
【００３９】
ここで、無線ＬＡＮ用アンテナ２１０Ａは、アンテナ導体部２１１を含む面積の小さい面と、ＧＮＤパターン２１２を含む面積の大きい面とからなり、これらは互いに直交する位置関係にある。また、給電線２１３は、給電ケーブル給電ケーブル２２０Ａに接続される。
【００４０】
図２（ｂ）は、図１Ａに示すノートＰＣ１００の筐体が金属等の導電性材料からなる場合に、ノートＰＣ１００の筐体上に、誘電体板２１４を介して金属等の導電性材料からなるアンテナ導体部２１１、ＧＮＤパターン２１２、および給電線２１３を形成した無線ＬＡＮ用アンテナ２１０Ａを示す。なお、全体の機能および形状は、図２（ａ）に示す無線ＬＡＮ用アンテナ２１０Ａと同様である。
【００４１】
図３は、本発明の第１の実施の形態に係る無線ＬＡＮ用アンテナのノートＰＣへの設置位置を示した斜視図である。
【００４２】
同図に示すように、無線ＬＡＮ用アンテナ２１０Ａは表示部２００上部に設置され、ＧＮＤパターン２１２を含む面積の大きい面が液晶パネル２３０の背面側に位置するように設置されている。無線ＬＡＮ用アンテナ２１０Ａのアンテナ導体部２１１を含む面積の小さい面は、表示部２００の側面に位置する。同様に、無線ＬＡＮ用アンテナ２１０Ｂが、表示部２００の右側部下に設置される。
【００４３】
（ノートＰＣのハードウェア構成）
図４は、本発明の第１の実施の形態に係るノートＰＣのハードウェア構成を示すブロック図である。なお、同図においては、本実施の形態の特徴部分のみを示しており、ノートＰＣの本来的な機能を担うキーボードコントローラ、ディスプレイコントローラ等は示していない。
【００４４】
同図に示すように、表示部２００の液晶パネル２３０の背面側に設置された無線ＬＡＮ用アンテナ２１０Ａ、２１０Ｂは、給電ケーブル２２０Ａ、２２０Ｂを介して、無線ＬＡＮ用モジュール３１０Ａ、３１０Ｂに接続される。ここで、無線ＬＡＮ用アンテナ２１０Ａのアンテナ導体部２１１と無線ＬＡＮ用アンテナ２１０Ｂアンテナ導体部２１１は、互いに９０°異なる角度で配置されている。
【００４５】
無線ＬＡＮ用モジュール３１０Ａ、３１０Ｂは、ＣＰＵバス３２０に接続され、ＣＰＵバス３２０には、ノートＰＣ１００全体の制御を行うＣＰＵ３３０、および無線ＬＡＮ用アンテナ２１０Ａ、２１０Ｂから送受信するデータ信号を格納するメモリ３４０が接続されている。
【００４６】
図５は、本発明の第１の実施の形態に係る無線ＬＡＮモジュールの構成を示すブロック図である。なお、無線ＬＡＮモジュール３１０Ａ、３１０Ｂは、同一の構成を有するので、代表として無線ＬＡＮモジュール３１０Ａについて説明する。
【００４７】
同図に示すように、無線ＬＡＮモジュール３１０Ａは、ＲＦ（Ｒａｄｉｏ  Ｆｒｅｑｕｅｎｃｙ）部３１１、水晶発信部３１２、およびベースバンド処理部３１３を備える。
【００４８】
ＲＦ部３１１は、給電ケーブル２２０Ａを介して無線ＬＡＮ用アンテナ２１０Ａから入力された高周波信号を水晶発信部３１２の発信周波数に基づいて低周波信号に変換し、ベースバンド処理部３１３に出力する。また、ベースバンド処理部３１３から出力されるベースバンド信号を水晶発信部３１２からの発信周波数に基づいて高周波信号に変換し、給電ケーブル２２０Ａを介して無線ＬＡＮ用アンテナ２１０Ａに出力する。
【００４９】
ベースバンド処理部３１３は、ＲＦ部３１１から出力されたベースバンド信号にアナログ／デジタル変換を施して、ノートＰＣのＣＰＵ３３０により処理可能なデジタル信号に変え、ＣＰＵバス３２０に出力する。また、ＣＰＵバス３２０から入力されたデジタル信号にデジタル／アナログ変換を施してベースバンドのアナログ信号にし、ＲＦ部３１１に出力する。
【００５０】
以下に、本発明の第１の実施の形態に係るノートＰＣの動作を説明する。
【００５１】
（無線電波の受信動作）
無線ＬＡＮ用アンテナ２１０Ａ、２１０Ｂは、データ信号を受信すると、信号強度に応じた受信信号を給電ケーブル２２０Ａ、２２０Ｂを介して無線ＬＡＮモジュール３１０Ａ、３１０Ｂに入力する。
【００５２】
ＲＦ部３１１は、給電ケーブル２２０Ａ、２２０Ｂを介して入力された受信信号を水晶発信部３１２の発信周波数に基づいて低周波信号に変換し、ベースバンド処理部３１３に出力する。
【００５３】
べ一スバンド処理部３１３は、ＲＦ部３１１から出力されたベースバンドのアナログの受信信号をノートＰＣ１００のＣＰＵ３３０により処理可能なデジタル信号に変換し、ＣＰＵバス３３０に出力する。ＣＰＵバス３２０に出力された受信信号はメモリ３４０に格納される。
【００５４】
（無線電波の送信動作）
ＣＰＵ３３０は、送信信号をメモリ３４０に格納した後、メモリ３４０に格納された送信信号を、ＣＰＵバス３２０を介して無線ＬＡＮモジュール３１０Ａ、３１０Ｂに送る。
【００５５】
ベースバンド処理部３１３は、デジタルの送信信号をベースバンドのアナログ信号に変換してＲＦ部３１１に出力する。ＲＦ部３１１は、水晶発信部３１２の発信周波数に基づいて、送信信号を無線ＬＡＮ通信に用いられる高周波信号に変換し、給電ケーブル２２０Ａ、２２０Ｂを介して無線ＬＡＮ用アンテナ２１０Ａ、２１０Ｂに出力する。これにより、無線ＬＡＮ用アンテナ２１０Ａ、２１０Ｂから送信信号が送信される。
【００５６】
（第１の実施の形態の効果）
この第１の実施の形態によれば、無線ＬＡＮ用アンテナ２１０Ａと無線ＬＡＮ用アンテナ２１０Ｂの設置位置間の距離を大きくすることにより、空間ダイバーシチ効果を得て、電波受信効率をあげることができる。
【００５７】
また、この第１の実施の形態によれば、無線ＬＡＮ用アンテナ２１０Ａおよび無線ＬＡＮ用アンテナ２１０Ｂを互いに９０°異なる角度で設置して、異なる偏波を受信することにより、偏波ダイバーシチ効果を得て、電波受信効率を向上させることができる。
【００５８】
また、この第１の実施の形態によれば、無線ＬＡＮ用アンテナ２１０Ａおよび無線ＬＡＮ用アンテナ２１０Ｂを互いに９０°異なる角度で設置して、異なる放射パターンを形成することにより、パターンダイバーシチ効果を得て、電波受信効率を向上させることができる。
【００５９】
また、この第１の実施の形態によれば、無線ＬＡＮ用アンテナ２１０Ａ、２１０Ｂのうち、一方のアンテナに接続された給電ケーブルが他方のアンテナの近くを通ることによる、動作周波数や放射パターン等のアンテナ特性のばらつきを抑えることができる。
【００６０】
また、この第１の実施の形態によれば、無線ＬＡＮ用アンテナ２１０Ａ、２１０ＢをノートＰＣ１００の筐体と一体に設けることで、無線ＬＡＮ用アンテナ２１０Ａ、２１０ＢとノートＰＣ１００の筐体との間の距離を厳密に一定に保ち、動作周波数、放射パターン等のアンテナ特性のばらつきを防いで、高い受信効率を得ることができる。
【００６１】
〔第２の実施の形態〕
本発明の第２の実施の形態においては、液晶パネルの液晶の駆動を制御するためのＩＣを搭載した液晶ドライバ基板の配置に基づいて無線ＬＡＮ用アンテナの設置位置を決定する。ノートパソコンの構成、動作等は第１の実施の形態と同様であるので、説明を省略する。
【００６２】
図６（ａ）、（ｂ）は、第２の実施の形態に係るノートＰＣにおける無線ＬＡＮ用アンテナの配置構成を示す斜視図である。
【００６３】
図６（ａ）は、液晶ドライバ基板２３１が液晶パネル２３０の上部にある場合を示しており、このとき、無線ＬＡＮ用アンテナ２１０Ｂは表示部２００の右側部下に設けられる。液晶パネル２３０における主要なＥＭＩ（Ｅｌｅｃｔｒｏｍａｇｎｅｔｉｃ  Ｉｎｔｅｒｆｅｒｅｎｃｅ）ノイズ源である液晶ドライバ基板２３１からなるべく距離をおいてアンテナを設置するためである。
【００６４】
一方、図６（ｂ）は、液晶ドライバ基板２３１が液晶パネル２３０の下部にある場合を示しており、このときは、同様の理由で、無線ＬＡＮ用アンテナ２１０Ｂは表示部２００の右側部上に設けられる。
【００６５】
（第２の実施の形態の効果）
この第２の実施の形態によれば、無線ＬＡＮ用アンテナ２１０Ｂを液晶ドライバ基板２３１と距離を置いて配置して、液晶ドライバ基板２３１から放射される不要輻射の影響を小さく抑えることにより、ノイズを軽減して電波受信効率を向上させることができる。
【００６６】
〔第３の実施の形態〕
図７は、本発明の第３の実施の形態に係るノートＰＣにおける無線ＬＡＮ用アンテナの配置構成を示す斜視図である。
【００６７】
同図に示すように、本実施の形態におけるノートＰＣ１００は、本体３００と表示部２００が回転ヒンジ１２０で接続された構成を有する。このような構成により、表示部２００は、回転ヒンジ１２０を軸として自由に回転することができ、液晶パネルを外側に向けて表示部２００を本体３００に閉じることができる。
【００６８】
ここで、無線ＬＡＮ用アンテナ２１０Ａは、表示部２００の表側（液晶パネル２３０側）に設けられ、無線ＬＡＮ用アンテナ２１０Ｂは、表示部２００の裏側に設けられている。その他の第１の実施の形態と同様の構成部分については、説明を省略する。
【００６９】
なお、無線ＬＡＮ用アンテナ２１０Ａが表示部２００の裏側に、無線ＬＡＮ用アンテナ２１０Ｂが表示部２００の表側に設けられてもよい。
【００７０】
図８（ａ）は、液晶パネルを内側に向けて表示部２００を本体３００に閉じた状態のノートＰＣ１００の斜視図である。給電ケーブル２２０Ａ、２２０Ｂ等の表示は省略する。
【００７１】
このとき、本体３００の筐体が金属製であった場合、無線ＬＡＮ用アンテナ２１０Ｂは、本体３００の筐体に近接するためにアンテナ性能が劣化するが、無線ＬＡＮ用アンテナ２１０Ａは、本体３００の金属筐体に近接しないためにアンテナ性能が劣化しない。
【００７２】
一方、図８（ｂ）は、液晶パネルを外側に向けて表示部２００を本体３００に閉じた状態のノートＰＣ１００の斜視図である。給電ケーブル２２０Ａ、２２０Ｂ等の表示は省略する。
【００７３】
このとき、無線ＬＡＮ用アンテナ２１０Ａは、本体３００の筐体に近接するためにアンテナ性能が劣化するが、無線ＬＡＮ用アンテナ２１０Ｂは、本体３００の金属筐体に近接しないためにアンテナ性能が劣化しない。
【００７４】
（第３の実施の形態の効果）
この第３の実施の形態によれば、無線ＬＡＮ用アンテナ２１０Ａ、２１０Ｂの一方を表示部２００の表側に、他方を表示部２００の裏側に設けることにより、表示部２００を本体３００に閉じる際に表示部２００の表側と裏側のどちらを外側に向けたとしても、無線ＬＡＮ用アンテナ２１０Ａ、２１０Ｂのいずれかは本体３００の金属筐体に近接しなくなるためにアンテナ性能の劣化を抑えることができ、表示部２００を閉じた状態でも品質の高い無線通信を行うことができる。
【００７５】
〔第４の実施の形態〕
本発明の第４実施の形態におけるノートＰＣ１００は、第３の実施の形態と同様に、本体３００と表示部２００が回転ヒンジ１２０で接続された構成を有する。このような構成により、表示部２００は、回転ヒンジ１２０を軸として自由に回転することができ、液晶パネルを外側に向けて表示部２００を本体３００に閉じることができる。
【００７６】
図９（ａ）、（ｂ）は、それぞれ液晶パネルを内側に向けて表示部２００を本体３００に閉じた状態のノートＰＣ１００の斜視図、液晶パネルを外側に向けて表示部２００を本体３００に閉じた状態のノートＰＣ１００の斜視図を示す。給電ケーブル２２０Ａ、２２０Ｂ等の表示は省略する。
【００７７】
同図に示すように、無線ＬＡＮ用アンテナ２１０Ａ、２１０Ｂは表示部２００の側面に設けられている。
【００７８】
なお、同図においては、無線ＬＡＮ用アンテナ２１０Ａ、２１０Ｂのアンテナ導体部２１１を含む面積の小さい面が、表示部２００の裏側に位置するように無線ＬＡＮ用アンテナ２１０Ａ、２１０Ｂが設けられているが、無線ＬＡＮ用アンテナ２１０Ａ、２１０Ｂの片方または両方が、アンテナ導体部２１１を含む面積の小さい面が表示部２００の表側に位置するように設けられてもよい。
【００７９】
（第４の実施の形態の効果）
この第４の実施の形態によれば、無線ＬＡＮ用アンテナ２１０Ａ、２１０Ｂを表示部２００の側面に設けることにより、表示部２００を本体３００に閉じる際に表示部２００の表側と裏側のどちらを外側に向けたとしても、無線ＬＡＮ用アンテナ２１０Ａ、２１０Ｂのいずれも本体３００の金属筐体に近接しなくなるためにアンテナ性能の劣化を抑えることができ、表示部２００を閉じた状態でも品質の高い無線通信を行うことができる。
【００８０】
〔第５の実施の形態〕
本発明の第５実施の形態におけるノートＰＣ１００は、第３の実施の形態と同様に、本体３００と表示部２００が回転ヒンジ１２０で接続された構成を有する。このような構成により、表示部２００は、回転ヒンジ１２０を軸として自由に回転することができ、液晶パネルを外側に向けて表示部２００を本体３００に閉じることができる。
【００８１】
図１０（ａ）、（ｂ）は、それぞれ液晶パネルを内側に向けて表示部２００を本体３００に閉じた状態のノートＰＣ１００の斜視図、液晶パネルを外側に向けて表示部２００を本体３００に閉じた状態のノートＰＣ１００の斜視図を示す。給電ケーブル２２０Ａ、２２０Ｂ等の表示は省略する。
【００８２】
同図に示すように、本体３００の筐体が金属製であった場合、表示部２００を本体３００に閉じた際に無線ＬＡＮ用アンテナ２１０Ａ、２１０Ｂが近接する部分の表面に、絶縁性材料からなる絶縁部２４０が設けられている。
【００８３】
（第５の実施の形態の効果）
この第５の実施の形態によれば、本体３００の筐体の無線ＬＡＮ用アンテナ２１０Ａ、２１０Ｂが近接する部分の表面に、絶縁性材料からなる絶縁部２４０を設けることにより、表示部２００を本体３００に閉じる際に表示部２００の表側と裏側のどちらを外側に向けたとしても、無線ＬＡＮ用アンテナ２１０Ａ、２１０Ｂのいずれも本体３００の金属筐体に近接しなくなるためにアンテナ性能の劣化を抑えることができ、表示部２００を閉じた状態でも品質の高い無線通信を行うことができる。
【００８４】
〔第６の実施の形態〕
図１１は、本発明の第６の実施の形態に係るノートＰＣにおける無線ＬＡＮ用アンテナの配置構成を示す斜視図である。
【００８５】
同図に示すように、ノートＰＣ１００は、無線ＬＡＮ用アンテナ２１０Ｂが本体３００に設けられた構成を有する。無線ＬＡＮ用アンテナ２１０Ｂは無線ＬＡＮ用モジュール３１０Ｂと、給電ケーブル２２０Ｂにより接続されている。その他の第１の実施の形態と同様の構成部分については、説明を省略する。
【００８６】
なお、無線ＬＡＮ用アンテナ２１０Ｂは本体の手前側右に設けられることが好ましい。無線ＬＡＮ用アンテナ２１０Ａとの距離をなるべく大きくするためである。
【００８７】
また、無線ＬＡＮ用アンテナ２１０Ｂは本体の奥側右に設けられてもよい。表示部２００を本体３００に閉じた際に、無線ＬＡＮ用アンテナ２１０Ａとの距離をなるべく大きくするためである。
【００８８】
また、偏波ダイバーシチ効果を得るために、無線ＬＡＮ用アンテナ２１０Ｂは本体の側部に設けられてもよい。
【００８９】
（第６の実施の形態の効果）
この第６の実施の形態によれば、無線ＬＡＮ用アンテナ２１０Ａと無線ＬＡＮ用アンテナ２１０Ｂを両者とも表示部２００に設ける場合と比較して、両者間の距離が大きくなるため、空間ダイバーシチ効果をより効率的に得ることができる。
【００９０】
〔第７の実施の形態〕
図１２は、本発明の第７の実施の形態に係るノートＰＣにおける無線ＬＡＮ用アンテナの配置構成を示す斜視図である。
【００９１】
同図に示すように、ノートＰＣ１００は、Ｂｌｕｅｔｏｏｔｈ用アンテナ３５０が本体３００に設けられた構成を有する。Ｂｌｕｅｔｏｏｔｈ用アンテナ３５０はＢｌｕｅｔｏｏｔｈ用モジュール３６０と、給電ケーブル２２０Ｂにより接続されている。その他の第１の実施の形態と同様の構成部分については、説明を省略する。
【００９２】
（第７の実施の形態の効果）
この第７の実施の形態によれば無線通信アンテナを本体３００に搭載する必要があるが、本体３００内部のＣＰＵ等からのＥＭＩノイズにより通信品質が著しく低下する場合には、比較的ノイズに強いＢｌｕｅｔｏｏｔｈ用アンテナ３５０を本体３００に設けることにより、通信品質の低下を小さく抑えることができる。
【００９３】
なお、本発明は、上記各実施の形態に限定されず、発明の趣旨を逸脱しない範囲内において種々変形実施が可能である。例えば、上記各実施の形態に示したように、無線ＬＡＮ用アンテナ２１０Ａと無線ＬＡＮ用アンテナ２１０Ｂは、９０°異なる角度で設置されることが好ましいが、異にする角度は９０°に限定されるものではない。また、無線通信アンテナの数は２つに限られず、上記各実施の形態における構成に加えて、さらに無線通信アンテナを設けてもよい。
【００９４】
また、発明の趣旨を逸脱しない範囲内において上記各実施の形態の構成要素を任意に組み合わせることができる。
【図面の簡単な説明】
【００９５】
【図１Ａ】本発明の第１の実施の形態に係るノートＰＣにおける無線ＬＡＮ用アンテナの配置構成を示す斜視図である。
【図１Ｂ】本発明の第１の実施の形態に係るノートＰＣにおける無線ＬＡＮ用アンテナの配置構成を示す斜視図である。
【図２】（ａ）、（ｂ）は、本発明の第１の実施の形態に係る無線ＬＡＮ用アンテナの構成を示す斜視図である。
【図３】本発明の第１の実施の形態に係る無線ＬＡＮ用アンテナのノートＰＣへの設置位置を示した斜視図である。
【図４】本発明の第１の実施の形態に係るノートＰＣのハードウェア構成を示すブロック図である。
【図５】図５は、本発明の第１の実施の形態に係る無線ＬＡＮモジュールの構成を示すブロック図である。
【図６】（ａ）、（ｂ）は、第２の実施の形態に係るノートＰＣにおける無線ＬＡＮ用アンテナの配置構成を示す斜視図である。
【図７】本発明の第３の実施の形態に係るノートＰＣにおける無線ＬＡＮ用アンテナの配置構成を示す斜視図である。
【図８】（ａ）、（ｂ）は、本発明の第３の実施の形態に係るノートＰＣの表示部を本体に閉じた状態の斜視図である。
【図９】（ａ）、（ｂ）は、本発明の第４の実施の形態に係るノートＰＣの表示部を本体に閉じた状態の斜視図である。
【図１０】（ａ）、（ｂ）は、本発明の第５の実施の形態に係るノートＰＣの表示部を本体に閉じた状態の斜視図である。
【図１１】本発明の第６の実施の形態に係るノートＰＣにおける無線ＬＡＮ用アンテナの配置構成を示す斜視図である。
【図１２】本発明の第７の実施の形態に係るノートＰＣにおける無線ＬＡＮ用アンテナの配置構成を示す斜視図である。
【符号の説明】
【００９６】
１００    ノートＰＣ
１１０    ヒンジ
１２０    回転ヒンジ
２００    表示部
２１０Ａ、２１０Ｂ    無線ＬＡＮ用アンテナ
２１１    アンテナ導入部
２１２    ＧＮＤパターン
２１３    給電線
２１４    誘電体板
２２０Ａ、２２０Ｂ    給電ケーブル
２３０    液晶パネル
２３１    液晶ドライバ基板
２４０    絶縁部
３００    本体
３１０Ａ、３１０Ｂ    無線ＬＡＮ用モジュール
３１１    ＲＦ部
３１２    水晶発信部
３１３    ベースバンド処理部
３２０    ＣＰＵバス
３３０    ＣＰＵ
３４０    メモリ
３５０    Ｂｌｕｅｔｏｏｔｈ用アンテナ
３６０    Ｂｌｕｅｔｏｏｔｈ用モジュール
【図１Ａ】
2007074446.tif 000003
【図１Ｂ】
2007074446.tif 000004
【図２】
2007074446.tif 000005
【図３】
2007074446.tif 000006
【図４】
2007074446.tif 000007
【図５】
2007074446.tif 000008
【図６】
2007074446.tif 000009
【図７】
2007074446.tif 000010
【図８】
2007074446.tif 000011
【図９】
2007074446.tif 000012
【図１０】
2007074446.tif 000013
【図１１】
2007074446.tif 000014
【図１２】
2007074446.tif 000015